(57)【要約】      （修正有）【課題】レシーバにおいて、２つのチューナは、相互に異なる信号の同時受信を実現する。【解決手段】２つのチューナは、一つのモジュール（ＭＯＤ）に併合される。これは、相互干渉を生じるであろう。しかしながら、このような相互干渉に対して費用の面で効果的な種々の対策が存在する。このような対策の一つは、２つのチューナにおける発信周波数が、対応する他のチューナが受信した信号の無線周波数若しくはその高調波に同調させないというものである。【選択図】図１
2008295053.tif 000002
【特許請求の範囲】
【請求項１】
相互に異なる信号を同時受信する少なくとも２つのチューナ（ＴＵＮ１，ＴＵＮ２）を備える受信機であって、これら少なくとも２つのチューナが１つのモジュール（ＭＯＤ）内に合併され、前記２つのチューナ（ＴＵＮ１，ＴＵＮ２）の各々が、無線周波数での信号を中間周波数へ変換するミキサ（ＭＩＸ）に結合されている発振器（ＯＳＣ）を有しており、前記２つのチューナの各々における前記発振器が、各他方のチューナによって受信される信号の無線周波数（ＲＦ２或はＲＦ１）、或は該無線周波数の如何なる低調波にも一致しない発振周波数（Ｆｏｓｃ１或はＦｏｓｃ２）を有する受信機において、前記２つのチューナ（ＴＵＮ１，ＴＵＮ２）における前記発振周波数（Ｆｏｓｃ１及びＦｏｓｃ２）間の差（ΔＦｏｓｃ）は中間周波数帯域幅（ＢＷＩＦ）を越えていることを特徴とする受信機。
【発明の詳細な説明】
【技術分野】
【０００１】
本発明は相互に異なる信号を同時受信する少なくとも２つのチューナを備える受信機に関する。また本発明はマルチメディア装置及びそうした受信機を備えるアドオン・カードに関する。
【背景技術】
【０００２】  （公序良俗違反につき、不掲載）は、２つの相互に異なるテレビ番組の同時表示を可能とするために２つのチューナ・モジュールを備える。テレビ番組は、例えば４５ＭＨｚから８６０ＭＨｚまでの範囲内の様々な無線周波数で放送されている。テレビ番組放送は、テレビ受像機に無線周波数インレット（inlet）を介して入力し、該テレビ受像機におけるスプリッタを介して２つのチューナ・モジュールに供給される。これら２つのチューナ・モジュールは、それぞれ、遮蔽されたケージングを有して、該ケージングが無線周波数を中間周波数、即ち４０ＭＨｚへ変換する発振器及びミキサーを収容している。各発振器は、調整可能な発振周波数を有する。発振周波数は、どの無線周波数、即ちどの放送テレビ番組を、表示させるべく更なる処理のために４０ＭＨｚの中間周波数に変換するかを決定する。もし発振周波数が例えば５００ＭＨｚであれば、４６０ＭＨｚの無線周波数で放送されているテレビ番組は４０ＭＨｚの中間周波数へ変換されて、その結果として表示されることが可能となる。
【発明の開示】
【発明が解決しようとする課題】
【０００３】
本発明は、中でも、背景技術に対してより費用面で効率的な実施が可能な上述したタイプの受信機を提供することを目的とする。請求項１及び８は本発明に従った受信機を定義している。請求項９、１０、１１、並びに１２は、それぞれが全て本発明による、マルチメディア装置、アドオン・カード、並びに、単一遮蔽ケージングを受容する方法を定義している。本発明を有利又は有益に実施すべく任意に用いることができる更なる特徴は、従属項で定義されている。
【０００４】
本発明は以下の局面を考慮に入れている。現在まで相互に異なる信号を同時に受信できる受信機の需要は比較的少なかった。一例を挙げれば、市販されたテレビ受像機の全個数の内の比較的小さなパーセンテージだけが、例えばピクチャー・イン・ピクチャー（ＰＩＰ）機能を提供すべく２つのチューナを有している。
【０００５】
このため、従来技術通りにＰＩＰテレビ受像機を実施することは、現在、費用面で効率的である。即ち、多くの他のタイプのテレビ受像機にも個々別々に適用できる２つの別個のチューナ・モジュールが用いられており、それらが比較的大量に生産されており、それが比較的安価であることを意味する。
【０００６】
しかしながら、将来は状況が異なり得る。消費者に対して提供される情報及びエンターテイメントの量が急激に増大しつつある。これはまた、情報及びエンターテイメントは、衛星、ケーブルＴＶネットワーク、並びに、電話網等々を介してアナログ形態或はディジタル形態の内の何れかの形式で伝達されるが、その伝達形式の数も増大する。更にマルチメディアは、テキスト、データ、オーディオ、並びに、ビジュアル情報等の様々なタイプの情報に集中する傾向がある。こうした観点から、相互に異なる信号を同時に受信できる受信機の需要は、従来技術による解決策以外の解決策がより費用面で効率的であり得るレベルまで増大する可能性がある。
【課題を解決するための手段】
【０００７】
本発明によれば、２つ或はそれ以上のチューナが１つのモジュール内に合併される。
【発明の効果】
【０００８】
もしそうした２つ以上のチューナが合併されると、クリスタル（水晶振動子）、集積回路、プリント配線基板、金属製品、コネクタ、並びにピンブロック等々の様々な構成要素がそうした２つ以上のチューナによって共有され得ることになる。もし様々な構成要素が共有されたならば節約されるであろうコストは、ひとたび議諭の対象となっているタイプの受信機の需要が充分に満たされたあかつきには、２つ以上のチューナを１つのモジュール内へ合併させることに関連するコストにまさることが可能である。
【発明を実施するための最良の形態】
【０００９】
本発明や、本発明を有利に実施するために任意に用いられる付加的な特徴は、以下に説明される図面から明らかとなると共に同図面を参照して解明されるであろう。
【００１０】
先ず参照符号の使用について幾つかの言及を行なう。同様の要素は複数の図面を通じて同一の文字符号で示されている。単一の図面において、様々な同様要素は示されることがある。そうした場合、番号がその文字符号に付加されて、そうした要素を相互に識別している。更には、もし１つの要素がより高順位の要素の一部を形成していれば、対象となっている要素の参照記号における番号が、それがより高順位の要素に属して、該高順位の要素がその参照記号中に同一番号を有することを示している。記載及び請求の範囲において、参照記号における任意の番号は、可能であれば省略され得る。
【００１１】
第１図は本発明の基本原理を示す。第１図において少なくとも２つのチューナＴＵＮ１，ＴＵＮ２が１つのモジュールＭＯＤ内に合併されている。第１図ではこれら２つのチューナＴＵＮ１，ＴＵＮ２を示しているが、更なるチューナを同一のモジュールＭＯＤ内に合併させることもできる。
【００１２】
第２図はこれら２つのチューナＴＵＮ１，ＴＵＮ２の各々が、無線周波数の信号を中間周波数に変換するミキサＭＩＸに結合された発振器ＯＳＣを有していることを示す。また第２図は以下の付加的な特徴を示している。２つのチューナ各々の発振器は発振周波数Ｆｏｓｃ１或はＦｏｓｃ２を有し、該発振周波数が個々の異なるチューナによって受信された信号の無線周波数ＲＦ２またはＲＦ１、或はその無線周波数の如何なる低高調波にも一致していない。これは、好ましくは、２つのチューナＴＵＮ１，ＴＵＮ２の実質的な各同調範囲にわたって適用される。
【００１３】
第２図の特徴は以下の思想に基づく。１つのモジュールに合併されている２つのチューナＴＵＮ１，ＴＵＮ２は相互に干渉（混信）し得る。特に２つのチューナの内の一方における発振器は他方のチューナによって受信される信号と干渉し得る。発振器信号は多くの異なる方法で受信機内における様々な点への伝搬が可能である。例えば、金属部晶での誘導や、例えばスイッチング信号及びヴァリキャップ電圧(varicap voltage)を運ぶプリント回路基板トラック内へのクロストーク等によって伝搬し得る。発振器信号が被る全体的な伝搬減衰は、しばしば、非常に予想し難く、更には周波数の関数として強力に変化し得る。これは重要な事実であり、その理由は発振器信号が基本周波数成分のみを含むばかりではなく、高調波周波数成分をも同じように含み得るからである。それ故に、高調波周波数成分の振幅は受信機における一定の点で基本周波数の振幅よりも大きいことがあり得る。
【００１４】
上記の相互干渉（又は混信）に対抗する方法は種々存在する。１つの解決策は発振器信号を充分に低いレベルに保持することであろう。しかしながら、もし発振器信号レベルが低減されると、これはノイズ及び周波数安定性の点での性能を一般的に劣化することになる。
【００１５】
他の解決策は発振器を電磁気的に遮蔽することであろう。しかしながら、遮蔽を為すことは比較的高価であり、幾つかの場合にはそれが効果の面で不充分ですらあり得る。以下の例は例示的目的で挙げられている。ＴＶ（テレビ）受信において、少なくとも６０ｄＢの干渉距離が望ましい。チューナによって受信されるＴＶ信号のレベルが典型的な値である１ｍＶであると仮定すると、干渉信号のレベルは１μＶを越える可能性がない。他方のチューナでの発振器信号のレベルが典型的な値である１Ｖであると仮定すると、１２０ｄＢ減衰がこれら２つのチューナ間で必要とされる。もしこれら２つのチューナが１つのモジュール内に合併されると、そうした減衰をもたらす内部遮蔽は、もし少しでも実現可能であれば、費用がかかると共に設計が難しいものとなるであろう。
【００１６】
更なる他の解決策は、２つのチューナＴＵＮ１，ＴＵＮ２が相互に干渉する異なる無線周波数の組み合わせの受信をブロックすることであろう。これは、例えば、これら２つのチューナＴＵＮ１，ＴＵＮ２を制御すべく適切にプログラムされたコンピュータによって達成可能である。しかしながら、またも発振器信号の高調波周波数成分を考慮に入れる必要性があるので、比較的多くの無線周波数の組み合わせに対する受信をブロックする必要性があるかもしれない。その場合、エンドユーザは同時に受信され得る信号の比較的制約された種類から逃れられなくなる。
【００１７】
もし第２図の特徴が適用されたならば、２つのチューナＴＵＮ１，ＴＵＮ２の何れかにおける発振器信号の基本周波数成分或は高調波周波数成分は、個々の異なるチューナＴＵＮ１或はＴＵＮ２によって受信される信号と直に干渉しなくなる。それ故に、発振器ＯＳＣ１，ＯＳＣ２はノイズ及び安定性の面で満足いく性能を提供する信号レベルでの動作が許容される。その上重要なことは、これは比較的精密な遮蔽を何等要求せず、比較的多くの無線周波数の組み合わせに対する受信をブロックすることも要求しないことである。よって、第２図の特徴は、組み合わせ状態で或はそれ自体で、受信の品質及び万能性や費用面で効率性に寄与する。
【００１８】
第２図の特徴は、共通ターミナルから信号を２つのチューナＴＵＮ１，ＴＵＮ２へ付与すべくスプリッタが用いられれば、更なる長所を提供することになる。その場合、スプリッタは、相互干渉を防止するために２つのチューナＴＵＮ１，ＴＵＮ２間での大きな減衰を提供する必要性がない。その理由のため、スプリッタは比較的小数の能動構成要素で実現可能であるか、或は、何等能動構成要素なしに実現できる可能性すらある。能動構成要素は電力を消費し、ノイズ及び歪を作り出す。よって、第２図の特徴は比較的に電力効率がよく、ノイズがなく、そして歪がないスプリッタであり得る。留意すべきことは、もし２つのチューナが従来技術におけるように別個であってもこれら長所が得られることである。
【００１９】
第３ａ図は以下の付加的特徴を示す。チューナＴＵＮ１における発振周波数Ｆｏｓｃ１は、チューナＴＵＮ２が受信できる可能性がある最も高い無線周波数ＦＲｍａｘ２を越える。これは、好ましくは、チューナＴＵＮ１の同調範囲に実質的にわたって適用される。
【００２０】
第３ａ図の特徴は以下の思想に基づく。もしチューナＴＵＮ１が比較的広範な同調範囲にわたって同調可能である必要性があれば、発振周波数Ｆｏｓｃ１がチューナＴＵＮ２によって受信される信号の無線周波数ＲＦ２或は該無線周波数ＲＦ２の任意の低高調波と一致しないような回避は難しい可能性がある。比較的複雑であり、よって高価な方策がそうした一致を回避すべく必要となり得る。しかしながら、もし第３ａ図の特徴が適用されたならば、如何なるそうした一致も定義によって排除されることになる。よって、第３ａ図の特徴は費用面で効率に寄与しており、もしチューナＴＵＮ１が比較的広範な同調範囲にわたって同調させられる必要性があれば特に当てはまる。
【００２１】
第３ｂ図は以下の付加的な特徴を示す。２つのチューナ各々における発振周波数、Ｆｏｓｃ１或はＦｏｓｃ２は、他方のチューナが受信できる可能性がある最も高い周波数、ＲＦｍａｘ２或はＲＦｍａｘ１を越える。第３ｂ図の特徴は第３ａ図の特徴に対する効果的な付加物となる。この付加物は、チューナＴＵＮ２における発振周波数Ｆｏｓｃ２も、チューナＴＵＮ１が受信できる可能性がある最も高い無線周波数ＲＦｍａｘ１を越えることである。よって、第３ｂ図の特徴は費用面で効率に寄与しており、もし２つのチューナＴＵＮ１，ＴＵＮ２双方が比較的広範な同調範囲にわたって同調させられる必要性があれば特に当てはまる。
【００２２】
以下の注意は第３ａ図及び第３ｂ図の特徴に対して為されている。第３ａ図の特徴が適用されると、チューナＴＵＮ１がより低い無線周波数の信号を受信し、その結果としてチューナＴＵＮ２がより高い無線周波数の信号を受信するような準備が為され得る。もし、追加的に、チューナＴＵＮ２における発振周波数ｆｏｓｃ２がこのチューナによって受信される信号の無線周波数ＲＦ２以上であれば、チューナＴＵＮ１によって受信される信号の無線周波数ＲＦ１を越えることが予想される。全体的な結果は２つのチューナの各々における発振周波数ｆｏｓｃ１或はｆｏｓｃ２が、他方チューナによってそれぞれ受信される無線周波数ＲＦ２或はＲＦ１を越えることになることである。よって、発振信号の基本成分及び任意の高調波成分の双方とも受信される信号と干渉できない。よって、第３ａ図の特徴は第３ｂ図の特徴と同様な長所を提供できる。
【００２３】
上記にもかかわらず、第３ｂ図の特徴は以下の理由によって第３ａ図の特徴よりも好ましい可能性がある。２つの信号Ｓ（Ｘ）及びＳ（Ｙ）が同時に受信されると仮定すると、信号Ｓ（Ｙ）は信号Ｓ（ｘ）よりも高い無線周波数を有することになる。受信信号Ｓ（Ｙ）は、Ｓ（ｘ）よりも低い無線周波数を有する異なる信号Ｓ（Ｚ）のために中断させられる必要性がある。以下は上述した準備が為された第３ａ図の場合に生ずることになる。チューナＴＵＮ２は、チューナＴＵＮ１から、維持されている信号Ｓ（ｘ）の受信を引き継がなければならない。そうした引継ぎは、より高い-より低い無線周波数関係の観点から必要とされている。引継ぎはＳ（Ｘ）の受信において妨害を生ずる可能性がある。しかしながら対照的に、もし第３ｂ図の特徴が適用されたならば引継ぎは何等必要とされなくなる。こうして、第３図の特徴は、任意の同時受信を変更する一方で絶え間ない受信を可能としている。
【００２４】
第４図は以下の付加的な特徴を示す。２つのチューナＴＵＮ１，ＴＵＮ２における発振周波数Ｆｏｓｃ１及びＦｏｓｃ２間の差ΔＦｏｓｃは中間周波数帯域幅ＢＷＩＦを越えている。これは、好ましくは、２つのチューナＴＵＮ１，ＴＵＮ２の各同調範囲にわたって実質的に適用される。
【００２５】
第４図の特徴は以下の考察に基づく。発振器ＯＳＣ１，ＯＳＣ２は相互電磁気結合の結果として相互に位相変調する可能性がある。これは発振器信号に側波帯を具備させることになる。第４図は、発振器ＯＳＣ１に属する側波帯Ｆｓｂ＋１，Ｆｓｂ−１と、発振器ＯＳＣ２に属する側波帯Ｆｓｂ＋２，Ｆｓｂ−２とを示す。これら側波帯は発振周波数Ｆｏｓｃ１，Ｆｏｓｃ２から＋ΔＦｏｓｃ及び−ΔＦｏｓｃの所に配置している。各発振器信号の側波帯は受信された各信号と混合されることになる。その結果、各中間周波数へ変換された受信信号も、これら各中間周波数から＋ΔＦｏｓｃ及び−ΔＦｏｓｃの所に配置された側波帯を有することになる。
【００２６】
もし第４図の特徴が適用されたならば、これら側波帯は受信された各信号と直に干渉しなくなる。よって、第４図の特徴は、それら発振器相互の電磁気的な結合の結果として生じ得る２つのチューナＴＵＮ１，ＴＵＮ２間の相互干渉を打破する。結果的に、例えば、内部的な遮蔽を提供するか或は発振器タンク回路のＱを改善する等の方策でそうした相互の電磁気結合を打破する必要性が比較的低くくなる。そうした方策は比較的高価であり、特に比較的高い周波数の場合に高価である。このようにして、第４図の特徴は費用面で効率に寄与する。
【００２７】
以下の付加的な注意は第４図の特徴に対して為されている。側波帯Ｆｓｂ＋，Ｆｓｂ−は受信を害する可能性がある相互変調積を生じ得る。しかしながら、各側波帯は、相互干渉のこの形態が多くの場合に無視され得るような小振幅を一般的には有することになる。更には、各側波帯Ｆｓｂ＋，Ｆｓｂ−の振幅は、発振器周波数Ｆｏｓｃ１，Ｆｏｓｃ２間の差ΔＦｏｓｃが増大するにつれて減少することになる。
【００２８】
２つのチューナＴＵＮ１，ＴＵＮ２の一方がオートサーチ・モードで動作する際、相互位相変調が生じ得る周波数範囲は例えばソフトウェアの方策によってスキップすることが有益である。その点に関して、発振周波数Ｆｏｓｃ１，Ｆｏｓｃ２の如何なる高調波も、発振器ＯＳＣ１，ＯＳＣ２の如何なる相互位相変調に対して実質的に寄与しないことに留意されたい。こうして、もし発振器周波数Ｆｏｓｃ１，ｆｏｓｃ２の内の一方が各他方の発振器周波数Ｆｏｓｃ２或はＦｏｓｃ１の調波に比較的より密接していれば、相互位相変調は殆どないか或は全くなくなるであろう。結果として、もし発振器ＯＳＣ１，ＯＳＣ２の周波数範囲が部分的に重複していなければ、オートサーチ中の如何なるスキップも不必要となる。
【００２９】
第５ａ図は以下の付加的な特徴を示す。周波数ドライバＤＩＶ１は、チューナＴＵＮ１における発振器ＯＳＣ１及びミキサＭＩＸ１の間に結合されている。この特徴の何等かの長所を議論する前に、以下を留意されたい。周波数ディバイダＤＩＶ１は発振器信号の低調波を発生する。基本的には、低調波は第５ａ図に示されていないチューナＴＵＮ２によって受信された信号と干渉し得る。よって、ディバイダＤＩＶ１及びそれをミキサＭＩＸ１に結合している何等かの回路は潜在的に干渉する送信器と見なされるべきである。しかしながら、適切な設計によって、これら潜在的な干渉送信器は、もし本発明が使用されなければ発振器ＯＳＣ１になったであろう潜在的な干渉送信器より相当弱くなるであろう。結果として、第５ａ図の特徴は、背景技術では可能ではないような方式で２つのチューナを合併するという範囲に収っていない。
【００３０】
第５ａ図の特徴の長所は、第５ｂ図を参照して説明される。第５ｂ図は無線周波数ＲＦ１、発振周波数Ｆｏｓｃ１、並びに混合周波数Ｆｍｉｘ１を示す周波数線図である。混合周波数Ｆｍｉｘ１は、周波数ディバイダＤＩＶ１の分割係数であるＮ１で分割された発振周波数Ｆｏｓｃ１である。第５ｂ図は、混合周波数Ｆｍｉｘ１及び無線周波数ＲＦ１の差である中間周波数ＩＦ１も示している。
【００３１】
中間周波数ＩＦ１が、好ましくは、特定の所望値、例えばＴＶ受信の場合に４０ＭＨｚを有すると仮定すると、第５ａ図の特徴の長所は以下の通りである。２つのチューナＴＵＮ１，ＴＵＮ２間の相互干渉が、上述したように、周波数ディバイダＤＩＶ１の分割係数Ｎ１の適切な選択によって打破され得ることが発振周波数Ｆｏｓｃ１に許容されている。もし、更に周波数ディバイダが、全て第１図に示されているように、チューナＴＵＮ２における発振器ＯＳＣ２及びミキサＭＩＸ２間にも結合されたならば、これは相互干渉を打破するより多くの可能性を提供することになる。後者のディバイダの分割係数は、そのまま、これを達成するための追加自由度を導入する。
【００３２】
以下の付加的な注意は第５ａ図の特徴に対して為されている。第５ａ図の特徴は本発明にとって本質的でなものでもなく、また上述した他の特徴にとっても本質的なものでもない。第５ｂ図に示された発振周波数Ｆｏｓｃ１は、何等周波数分割なしにミキサＭＩＸ１に直に付与され得る。しかしながらその場合、中間周波数は発振周波数Ｆｏｓｃ１及び無線周波数ＲＦ１間の差となるであろう。結果として、中間周波数はより高くなる。比較的高い中間周波数信号を処理する回路は比較的高価であり、大電力消費であり、重要であり、或は、その内の何れかである。結果として、第５ａ図の特徴は比較的低い中間周波数を許容するので、費用面で効率的、エネルギー面で効率的、並びに、頑強である。
【００３３】
第６図は以下の付加的な特徴を示す。第５ａ図に示される周波数ディバイダＤＩＶ１の分割係数Ｎ１は調整可能である。第６図は、もし発振器ＯＳＣ１が１０００ＭＨｚと２０００ＭＨｚとの間で同調可能である場合、Ｎ１＝２，３，４，６，８，１２，１６の分割係数に伴って得られる様々な混合周波数範囲Ｒ２，Ｒ３，Ｒ４，Ｒ６，Ｒ８，Ｒ１２，Ｒ１６を示す。よって、もし周波数ディバイダＤＩＶ１がこれら分割係数の何れかを有するように調整可能であれば、６２．５ＭＨｚから１０００ＭＨｚまでの範囲にわたっての周波数混合が許容される。しかしながら、もし分割係数Ｎ１が固定されたならば、発振器ＯＳＣ１は、混合周波数の同様な選択を可能とすべく、よい広範な範囲にわたって同調可能でなければならない。これは発振器ＯＳＣ１を実現することをより難しくするか、或は不可能にすることすらあり得る。１つの解決策として、幾つかの同調可能な発振器が用いることであり、各同調可能な発振器は混合周波数の範囲の特定の部分をカバーしている。この解決策は、例えば発振器がＶＨＦ低、ＶＨＦ高、並びに、ＵＨＦの各帯域に用いられているＴＶに共通している。しかしながら、第６図の特徴は、比較的狭い周波数範囲にわたって同調することだけが必要とされている単一発振器に対して、比較的広い周波数範囲にわたって同調させることを可能としている。結果的に、第６図の特徴は費用面で効率に寄与している。
【００３４】
また第６図は以下の有益で付加的な特徴を示す。混合周波数範囲の実質的な部分にわたって、即ち８３．３３ＭＨｚ及び６６６．６７ＭＨｚの間にわたって、特定の混合周波数を獲得できる２つ以上の発振器周波数がある。言い換えれば、特定の混合周波数に対して発振器周波数の選択肢がある。この選択肢はチューナＴＵＮ１における発振器周波数Ｆｏｓｃ１がチューナＴＵＮ２における発振器周波数よりも比較的遠方へ移動されることを許容しており、それによって相互干渉を打破している。発振器ＯＳＣ１，ＯＳＣ２が部分的に重複する各周波数範囲で動作することはここでは問題ではない。適切に選択された分割係数Ｎ１は発振器ＯＳＣ１，ＯＳＣ２が周波数に関して相互にあまりにも接近することを防止できる。更に、もし、チューナＴＵＮ２における発振器ＯＳＣ２及びミキサＭＩＸ２間に調整可能な周波数ディバイダをも結合されたならば、発振周波数Ｆｏｓｃ１，Ｆｏｓｃ２を分離状態に保持する更により大きな選択肢になる。適切なソフトウェアを、所与の場合に最適分割係数或は複数の分割係数を選択すべく用いることができる。
【００３５】
第６図において、２つの周波数範囲、即ち８３．３３ＭＨｚ以下の周波数範囲と６６６．６７ＭＨｚ以上の周波数範囲とが残存しており、発振周波数に関して選択の余地がない。もしこれらの周波数範囲内において選択肢があれば有益であるが、選択肢が全くなくとも殆ど場合に顕著な相互干渉に至ることにならない。
【００３６】
第一に、２つのチューナは一般的には同一無線周波数或は殆ど同一の無線周波数を同時に受信する必要性はなく、その場合、各発振周波数Ｆｏｓｃ１，Ｆｏｓｃ２は一致或は略一致することになる。更には、２つの隣接する無線周波数チャネルが使用可能な信号によって占有されることが殆どなく、それ故に、２つの隣接する無線周波数チャネルを介しての同時受信が要求されるような変化は非常に僅かである。万一、そうした受信が必要となる場合には、発振周波数Ｆｏｓｃ１，Ｆｏｓｃ２は、２つの隣接無線周波数チャネル間の距離Ｎ倍の量だけ離間されることになり、ここでのＮとしてはディバイダＤＩＶ１，ＤＩＶ２の分割係数と同等である。よって、発振周波数Ｆｏｓｃ１，Ｆｏｓｃ２は分割されると、それらは比較的広く離間されて、如何なる側波帯も、例え同等の分割係数が用いられたとしても、相互位相変調の結果としての中間周波数帯域幅の外側になる。
【００３７】
第７図は、以下の付加的な特徴を示す。ミキサＭＩＸ１及び周波数ディバイダＤＩＶ１は集積回路ＭＯＩＣ１の一部を形成する。従って、発振信号の低調波Ｆｏｓｃ１÷Ｎ１を搬送する回路は小さな形状を有する。その結果、チューナＴＵＮ２によって受信される信号と潜在的に干渉し得る低調波Ｆｏｓｃ１÷Ｎ１の如何なる輻射も比較的に控えめとなる。結果として、第７図の特徴は２つのチューナＴＵＮ１，ＴＵＮ２が合併され得る程度を向上する。
【００３８】
以下の追加的な着目点は第７図の特徴に対して為されている。先ず第一に、ミキサＭＩＸ１は、好ましくは、平衡化された回路の形態で実施される。これが提供するものは、ミキサ回路ＭＩＸ１の入力及び出力におけるあらゆる発振器低調波残余の固有の抑制である。好ましくは、ディバイダＤＩＶ１もまた平衡化された回路の形態で実施される。第二として留意すべきことは、集積回路ＭＯＩＣ１が更なる回路を含み得ることである。第７図における破線は、発振器ＯＳＣ１が全体的或は部分的に集積回路ＭＯＩＣ１内に含有され得ることを示している。もしチューナＴＵＮ２もミキサＭＩＸ２及び発振器ＯＳＣ２間に結合された周波数ディバイダを含めば、これら回路も集積回路ＭＯＩＣ１の一部を形成し得る。更なる例として、集積回路ＭＯＩＣ１も位相ロック（同期）ループ回路をも含み得る。
【００３９】
第８図は本発明に従った受信機であり、第２図乃至第７図の追加的な特徴を含む受信機の一例を示す。第８図の受信機は、２つの相互に異なるＴＶ局、或は２つの相互に異なるＦＭラジオ局、或は１つのＴＶ局及び１つのＦＭラジオ局を同時に受信できる二重ＴＶ／ＦＭ受信機である。これを満たすべく、受信機は２つの相互に異なる無線周波数信号Ｓｉ１（ＲＦ）及びＳｉ２（ＲＦ）を、それぞれ、中間周波数信号Ｓｏ１（ＩＦ）及びＳｏ２（ＩＦ）へ同時に変換する２つのチューナＴＵＮ１，ＴＵＮ２を備える。無線周波数信号Ｓｉ１（ＲＦ）及びＳｉ２（ＲＦ）の何れかはＴＶ局か或はＦＭラジオ局の何れかであり得て、無線周波数インレットＩ（ＴＶ）及びＩ（ＦＭ）でそれぞれ受信される。
【００４０】
第８図において、２つのチューナＴＵＮ１，ＴＵＮ２の各々は、スイッチＳＷ、３つの無線周波数入力回路ＲＦＩＬ、ＲＦＩＭ、ＲＦＩＨ、並びに、集積回路ＭＯＩＣを含む。無線周波数入力回路ＲＦＩＬ、ＲＦＩＭ、ＲＦＩＨはＶＨＦ‐低帯域、ＶＨＦ−高帯域、並びにＵＨＦ帯域内の信号をそれぞれ処理するように配列されている。集積回路ＭＯＩＣはミキサＭＩＸ、ディバイダＤＩＶ、並びに、発振器ＯＳＣの増幅器部分ＡＭＰを収容している。発振器ＯＳＣの共振器部分ＲＥＳは集積回路ＭＯＩＣの外部にある。集積回路ＭＯＩＣの各々は、位相ロック（同期）ループ回路ＰＬＬ及びディジタルーアナログ変換構成ＤＡＣを更に収容している。２つのチューナＴＵＮ１，ＴＵＮ２はメモリ回路ＭＥＭと基準周波数Ｆｒｅｆで共振するクリスタルＸＴＬとを共有している。
【００４１】
２つのチューナＴＵＮ１，ＴＵＮ２の各々は以下の如くに動作する。スイッチＳＷは、ＴＶ局或はＦＭラジオ局の何れの受信が所望されるかに依存して、位置ＴＶ或は位置ＦＭの何れかに設定される。前者の場合、その無線周波数信号Ｓｉ（ＲＦ）は３つの無線周波数入力回路ＲＦＩＬ、ＲＦＩＭ、或はＲＦＩＨの内の何れかで処理され得る。後者の場合、その無線周波数信号Ｓｉ（ＲＦ）はＶＨＦ-低帯域に対する無線周波数入力回路ＲＦＩＬによって処理される。関連する無線周波数入力回路は適切に処理された無線周波数信号Ｓｐ（ＲＦ）を、全ての場合において、集積回路ＭＯＩＣ内のミキサＭＩＸへ供給する。
【００４２】
無線周波数入力回路ＲＦＩＬ、ＲＦＩＭ、並びにＲＦＩＨは、図示の簡略化のために示されていない同調可能な帯域フィルタを備える。その同調可能な帯域フィルタを制御する同調電圧ＶＴは以下のようにして得る。所望された無線周波数についての情報を含む制御データＣＯＮは、ディジタル−アナログ変換構成ＤＡＣへの供給のためにメモリＭＥＭから読み取られる何れかの同調データＴＤを効果的に選択する。選択された同調データＴＤによって、関連される無線周波数入力回路が所望された無線周波数信号Ｓｉ（ＲＦ）を正式な方法で処理できるような同期電圧ＶＴをディジタル−アナログ変換構成ＤＡＣが提供することになる。従って、適切な同期データがメモリＭＥＭ内に記憶されている場合、帯域フィルタは、ＶＨＦ−低、ＶＨＦ−高、並びにＵＨＦの各帯域にわたって満足いく同期を為すことができる。帯域フィルタ相互の同期における如何なる収差も手動調整で低減され得る。
【００４３】
集積回路ＭＯＩＣにおけるミキサＭＩＸは、適切に処理された無線周波数信号Ｓｐ（ＲＦ）に混合周波数Ｆｍｉｘを有する混合信号Ｓｍｉｘを効果的に掛ける。基本的には、混合周波数は所望局の無線周波数と所望中間周波数との合計或は差の何れかであり得る。第８図の受信機の場合、混合周波数は合計である。所望中間周波数は、例えばＦＭ−ラジオ受信の場合には４０ＭＨｚであり、ＴＶ−受信の場合には１０．７ＭＨｚである。一例として、もし受信が所望された２１０ＭＨｚ無線周波数を有するＴＶ局であれば、混合周波数は２５０ＭＨｚになる必要性がある。他の例として、もし受信が所望された８９．３ＭＨｚ無線周波数を有するＦＭ−ラジオ局であれば、混合周波数は１００ＭＨｚになる必要性がある。
【００４４】
混合周波数Ｆｍｉｘを有する混合信号Ｓｍｉｘは以下の如くに得られる。発振器ＯＳＣは、１０００ＭＨｚと２０００ＭＨｚとの間の範囲内で変動し得る発振周波数Ｆｏｓｃで発振信号Ｓｏｓｃを提供する。発振周波数Ｆｏｓｃは、制御データＣＯＮに従うと共に、例えば４ＭＨｚである基準周波数Ｆｒｅｆに基づく位相同期ループ回路ＰＬＬによって制御される。周波数ディバイダＤＩＶは発振信号Ｓｏｓｃを調整可能な周波数分割係数Ｎによって分割して、混合信号ＳｍｉＸを得る。調整可能な分割係数Ｎは、２、３、４、６、８、１２、或は１６の内の何れかであることが可能である。よって、第６図の周波数線図は、第８図の受信機のチューナＴＵＮ１，ＴＵＮ２の双方に適用される。一例を挙げれば、混合周波数を２５０ＭＨｚに設定するには３つの選択肢がある。第１の選択肢はＦｏｓｃ＝１０００ＭＨｚ及びＮ＝４であり、第２の選択肢はＦｏｓｃ＝１５００ＭＨｚ及びＮ＝６であり、第３の選択肢はＦｏｓｃ＝２０００ＭＨｚ及びＮ＝８である。
【００４５】
以下の注意点は第８図の受信機に対して為されている。発振周波数Ｆｏｓｃと、無線周波数入力回路ＲＦＩＬ，ＲＦＩＭ，ＲＦＩＨにおける帯域フィルタ中心周波数との間には何等固定された関係はない。例えば、もし２１０ＭＨｚの無線周波数を有するＴＶ局の受信が所望されたならば、関連される無線周波数入力回路における帯域フィルタはその無線周波数に同調することになるが、発振周波数は、１０００ＭＨｚ、１５００ＭＨｚ、或は２０００ＭＨｚの何れかであり得る。むしろ複雑となり、それ故に高価となることは、同調電圧ＶＴが発振器ＯＳＣに印加された同調電圧から引き出された場合であり、その理由は分割係数Ｎが考慮されるからである。よって、同調電圧ＶＴが第８図の受信機において生成される方法は比較的費用面で効率的である。
【００４６】
シンガポール特許出願第９６００１２５．５号、第９６００１２３．５号、並びに、第９６００１２４．３号（それぞれの代理人整理番号が、ＰＨＮ１５６４７、ＰＨＮ１５６４８、並びに、ＰＨＮ１５６４９）は、第８図の受信機を有益に実施すべく任意に使用され得る特徴を説明している。上記出願は、その対応出願の全てと共に、引用することでここに合体させる。
【００４７】
第９図は、本発明に従ったマルチメディア装置の一例を示す。第９図のマルチメディア装置は、ボックスＢＯＸ及びピクチャー・ディスプレイＰＤＤを備える。ボックスＢＯＸは図示しないが様々なデータ処理回路を収容すると共に、単一の遮蔽ケージングＳＳＥ内に配置されている２つのチューナＴＵＮ１，ＴＵＮ２を具備するアドオン・カードＡＯＣを収容する。これら２つのチューナＴＵＮ１，ＴＵＮ２はＴＶ局及びＦＭ−ラジオ局のそれぞれを受信するための無線周波数インレットＩ（ＴＶ）及びＩ（ＦＭ）を有する。２つのチューナＴＵＮ１，ＴＵＮ２は、例えば第８図に示されるように実施され得る。２つのチューナＴＵＮ１，ＴＵＮ２は、例えば２つの相互に異なるＴＶ局Ｐ１及びＰ２の同時表示を許容する。これら２つのチューナＴＵＮ１，ＴＵＮ２を制御するソフトウェアは如何なるタイプのメモリ内にもロードされ、該メモリはこのマルチメディア装置の一部を形成している。そうしたソフトウェアは、例えば第８図に示されるような２つのチューナＴＵＮ１或はＴＵＮ２の内の何れかに含まれる任意の周波数ディバイダＤＩＶに対する適切な分割係数を例えば選択すべく使用可能である。
【００４８】
図面及びそれら図面の上述の説明は本発明を限定するよりは、例示するものである。明らかに、添付の請求の範囲内に入る数多くの代替例が存在する。以下の最終的な注意はその点に関して為されている。
【００４９】
様々なユニットにわたって複数の機能或は機能的要素を物理的に拡張するには数多くの方法がある。添付図面はその点に関して大いに図表的であり、本発明の１つの可能性ある実施例のみを表わしている。更には、本発明は幾つかの個別の要素を含むハードウェアによってや、少なくとも部分的には適切にプログラムされたコンピュータによって実施され得る。
【００５０】
本発明はマルチメディア装置において著しく有益に使用され得る一方で、他のタイプの装置における適用を決して排除するものではない。本発明は、例えばテレビ（ＴＶ）受像機、ビデオテープレコーダ（ＶＣＲ）、並びにＴＶ／ＶＣＲの組み合わせ機等において著しく有益に使用され得る。本発明はそうした装置に、例えば、ＰＩＰ、スプリット・スクリーン、並びに、分離テレテキスト等の特徴を持たせることができる。
【００５１】
ＴＶ及びＦＭ−ラジオ受信の例が挙げられたが、他のタイプの受信を決して排除するものではない。本発明は、例えば広帯域データキャストの受信にも使用可能である。
【００５２】
2つの合併されたチューナの例が挙げられたが、3つ以上のチューナを1つのモジュール内に合併させることができる。後者の場合、図6に示される以上の発振周波数に関してのより多くの選択肢がある場合により好ましい。これは、例えばより多くの相互に異なる分割係数を提供することによって、発振周波数範囲を増大することによって、或はその両方によって達成可能である。
【００５３】
２、４、８、１６と、３、６、１２との二進法及び非二進法の分割係数の例が挙げられたが、１．５等の小数分割係数も使用可能である。後者の場合、好ましくはフィルタがディバイダ及びミキサの間に結合される。小数ディバイダは、比較的非対称的なデューティ・サイクルを有する信号を一般的には提供する。その結果、ノイズ及び信号取扱いという点でのミキサ性能は低下させられる可能性がある。フィルタはデューティ・サイクルにおける如何なる非対称性をも低減し、結果としてそうした低下に打破することになる。
【００５４】
請求の範囲においての括弧書きの参照符号等は、請求の範囲を何等制限するものとして解釈されるべきではない。
【図面の簡単な説明】
【００５５】
【図１】本発明の基本原理を図示する概略ブロック図。
【図２】本発明を有利に実施すべく任意に使用され得る付加的特徴を示す概略線図。
【図３ａ】本発明を有利に実施すべく任意に使用され得る付加的特徴を示す概略線図。
【図３ｂ】本発明を有利に実施すべく任意に使用され得る付加的特徴を示す概略線図。
【図４】本発明を有利に実施すべく任意に使用され得る付加的特徴を示す概略線図。
【図５ａ】本発明を有利に実施すべく任意に使用され得る付加的特徴を示す概略線図。
【図５ｂ】本発明を有利に実施すべく任意に使用され得る付加的特徴を示す概略線図。
【図６】本発明を有利に実施すべく任意に使用され得る付加的特徴を示す概略線図。
【図７】本発明を有利に実施すべく任意に使用され得る付加的特徴を示す概略線図。
【図８】本発明に従った受信機の一例の概略ブロック線図。
【図９】本発明に従ったマルチメディア装置の一例を示す概略構成図。
【図１】
2008295053.tif 000003
【図２】
2008295053.tif 000004
【図３ａ】
2008295053.tif 000005
【図３ｂ】
2008295053.tif 000006
【図４】
2008295053.tif 000007
【図５ａ】
2008295053.tif 000008
【図５ｂ】
2008295053.tif 000009
【図６】
2008295053.tif 000010
【図７】
2008295053.tif 000011
【図８】
2008295053.tif 000012
【図９】
2008295053.tif 000013
【外国語明細書】
2008295053000001.pdf